(57)【要約】      （修正有）【課題】生花と水に弱いプリザーブドフラワーとを混在させたフラワーアレンジメントを実現可能なプリザーブドフラワー支持構造体、及びプリザーブドフラワー支持構造体を用いたフラワーアレンジメントを提供する。【解決手段】プリザーブドフラワーの花冠を、交換することが可能に取り付けるプリザーブドフラワー支持構造体であって、花冠を支持する台座部１３と、台座部の中央であって、花冠を支持する側の反対側に突出する突起部１４とを備える。突起部が筒状に形成されており、台座部と突起部との間は連通しておらず水分が通過しない。【選択図】図３
0003226221.tif 000002
【実用新案登録請求の範囲】
【請求項１】
プリザーブドフラワーの花冠を、交換することが可能に取り付けるプリザーブドフラワー支持構造体であって、
前記花冠を支持する台座部と、
該台座部の中央であって、前記花冠を支持する側の反対側に突出する突起部と
を備え、
前記突起部が筒状に形成されており、前記台座部と前記突起部との間は水分が通過可能に連通していないことを特徴とするプリザーブドフラワー支持構造体。
【請求項２】
前記突起部には、筒状の人工的な茎部を取り付け可能としてあることを特徴とする請求項１に記載のプリザーブドフラワー支持構造体。
【請求項３】
前記台座部は椀状であり、前記台座部の中央から放射状に延びた複数の顎支持体で構成されていることを特徴とする請求項１又は２に記載のプリザーブドフラワー支持構造体。
【請求項４】
前記台座部は漏斗状であり、前記台座部の中央から放射状に延びた複数の顎支持体で構成されていることを特徴とする請求項１又は２に記載のプリザーブドフラワー支持構造体。
【請求項５】
請求項１乃至４のいずれか一項に記載のプリザーブドフラワー支持構造体を用いて、生花とプリザーブドフラワーとを混在させたことを特徴とするフラワーアレンジメント。
【考案の詳細な説明】
【技術分野】
【０００１】
本発明は、プリザーブドフラワーを、生花とともにフラワーアレンジメントに組み込むためにプリザーブドフラワーを支持するプリザーブドフラワー支持構造体及び該プリザーブドフラワー支持構造体を用いたフラワーアレンジメントに関する。
【背景技術】
【０００２】
近年、生花に特殊加工を施したプリザーブドフラワーが注目されている。プリザーブドフラワーは、生花の細胞組織内の組織水を脱水した後に、保存液に浸漬して組織水を保存液によって置換する防腐処理を施し、必要に応じて染色を行うことにより得られる。斯かる特殊加工を施すことにより、生花と同様の、みずみずしい外観を長期間保つことができる。
【０００３】
一方、生花とともにプリザーブドフラワーをフラワーアレンジメントに混在させる動きはほとんどない。プリザーブドフラワーは、基本的に水に弱く、生花を維持させるための給水によって、混在させているプリザーブドフラワーの染料が落ちたり、保存液の効果が半減したりするからである。
【０００４】
例えば特許文献１では、接着剤を用いてプリザーブドフラワーの茎部にマグネットを装着したマグネット付きフラワーが開示されている。特許文献１に示すように、装着したマグネットを磁着させることで脱着可能とすることで、プリザーブドフラワーを取り外して給水することができ、生花とともにプリザーブドフラワーをアレンジすることができる。
【０００５】
また、特許文献２では、プリザーブドフラワーの花冠の基部に、複数の係止爪部を有する取付部を取り付けたプリザーブドフラワー装飾体が開示されている。
【先行技術文献】
【特許文献】
【０００６】
【特許文献１】実用新案登録第３１２８２７９号公報
【特許文献２】特開２００９−２６９２６５号公報
【考案の概要】
【考案が解決しようとする課題】
【０００７】
しかし、特許文献１では、マグネット自体は接着剤を用いてプリザーブドフラワーの茎部に装着されているため、生花へ給水された水分の蒸発によりマグネットとプリザーブドフラワーの茎部との接着強度が低くなる可能性が高く、着脱を繰り返すことでマグネットがプリザーブドフラワーの茎部から外れてしまうおそれがあった。
【０００８】
また、特許文献２では、複数の係止爪部でプリザーブドフラワーの花冠に取付部を強固に取り付けるため、プリザーブドフラワーの花冠の基部に係止爪部による傷がつきやすい。プリザーブドフラワーは非常にデリケートであるため、傷により劣化が急速に進み、繰り返し使用することができなくなるおそれがあるという問題点もあった。生花とプリザーブドフラワーとを混在させるのは、生花が枯れた場合であっても、プリザーブドフラワーだけを異なる用途で使用したいという要望から出てくるものであり、プリザーブドフラワーを劣化させるのは本末転倒である。
【０００９】
本考案は斯かる事情を鑑みてなされたものであり、生花とプリザーブドフラワーとを混在させたフラワーアレンジメントを実現可能なプリザーブドフラワー支持構造体及び該プリザーブドフラワー支持構造体を用いたフラワーアレンジメントを提供することを目的とする。
【課題を解決するための手段】
【００１０】
上記目的を達成するために第１考案に係るプリザーブドフラワー支持構造体は、プリザーブドフラワーの花冠を、交換することが可能に取り付けるプリザーブドフラワー支持構造体であって、前記花冠を支持する台座部と、該台座部の中央であって、前記花冠を支持する側の反対側に突出する突起部とを備え、前記突起部が筒状に形成されており、前記台座部と前記突起部との間は水分が通過可能に連通していないことを特徴とする。
【００１１】
第１考案では、プリザーブドフラワーの花冠を支持する台座部と、該台座部の中央であって、花冠を支持する側の反対側に突出する筒状の突起部とを備えている。プリザーブドフラワーを使用するために、突起部に人工的な茎部を装飾用に取り付けた場合、人工的な茎部の太さによっては毛細管現象により生花用の水分が上昇する。しかし、台座部と突起部との間は水分が通過可能に連通していないので、上昇した水分が台座部のプリザーブドフラワー支持側へと漏れ出ることがなく、水分によってプリザーブドフラワーが劣化しない。したがって、プリザーブドフラワーと生花とを混在させたフラワーアレンジメントが実現可能となる。
【００１２】
また、第２考案に係るプリザーブドフラワー支持構造体は、第１考案において、前記突起部には、筒状の人工的な茎部を取り付け可能としてあることが好ましい。
【００１３】
第２考案では、突起部が筒状に形成されているので、筒状の人工的な茎部を取り付けることができる。したがって、生花と同様に、自由度の高いフラワーアレンジメントをした場合であってもプリザーブドフラワーが劣化しない。
【００１４】
また、第３考案に係るプリザーブドフラワー支持構造体は、第１又は第２考案において、前記台座部は椀状であり、前記台座部の中央から放射状に延びた複数の顎支持体で構成されていることが好ましい。
【００１５】
第３考案では、台座部は椀状であり、台座部の中央から放射状に延びた複数の顎支持体で構成されているので、プリザーブドフラワーの花弁を傷つけることなくフラワーアレンジメントとして装飾することができる。
【００１６】
また、第４考案に係るプリザーブドフラワー支持構造体は、第１又は第２考案において、前記台座部は漏斗状であり、前記台座部の中央から放射状に延びた複数の顎支持体で構成されていることが好ましい。
【００１７】
第４考案では、台座部は漏斗状であり、台座部の中央から放射状に延びた複数の顎支持体で構成されているので、プリザーブドフラワーの花弁を傷つけることなくフラワーアレンジメントとして装飾することができる。
【００１８】
次に、上記目的を達成するために第５考案に係るフラワーアレンジメントは、第１乃至第４考案のいずれか１つのプリザーブドフラワー支持構造体を用いて、生花とプリザーブドフラワーとを混在させたことを特徴とする。
【００１９】
第５考案では、上述したいずれかのプリザーブドフラワー支持構造体を用いて、生花とプリザーブドフラワーとを混在させているので、生花用の水分でプリザーブドフラワーが劣化することがなく、生花が枯れた後であってもプリザーブドフラワーのみで鑑賞を楽しめるフラワーアレンジメントを提供することが可能となる。
【考案の効果】
【００２０】
上記構成によれば、プリザーブドフラワーを人工的な茎部を用いて生花と同様に設置した場合であってもプリザーブドフラワーへは生花用の水分が上昇することがないので、水分によってプリザーブドフラワーが劣化することがない。したがって、プリザーブドフラワーと生花とを混在させたフラワーアレンジメントが実現可能となる。
【図面の簡単な説明】
【００２１】
【図１】本考案の実施の形態に係る生花とプリザーブドフラワーとが混在するフラワーアレンジメントの概要構成を示す例示図である。
【図２】本考案の実施の形態に係るプリザーブドフラワー支持構造体を介して匂い袋とプリザーブドフラワーとを取り付けるイメージ図である。
【図３】本考案の実施の形態に係るプリザーブドフラワー支持構造体の構成を示す二面図である。
【図４】本考案の実施の形態に係るプリザーブドフラワー支持構造体を用いたプリザーブドフラワーの固定方法を示す模式断面図である。
【考案を実施するための形態】
【００２２】
以下、本考案の実施の形態について、図面を参照しながら詳細に説明する。図１は、本考案の実施の形態に係る生花とプリザーブドフラワーとが混在するフラワーアレンジメントの概要構成を示す例示図である。図１に示すように、本実施の形態では、生花１とプリザーブドフラワー２とを同じ容器に設置し、両者が混在した状態でフラワーアレンジメントを行う。容器には水を貯めても良いが、吸水スポンジを用いて茎を差し込んで使用することがより好ましい。給水時にプリザーブドフラワー２に水分が付着することによるプリザーブドフラワー２の劣化を未然に防止するためである。
【００２３】
図１では、匂い袋１０にプリザーブドフラワー２を取り付けた状態でフラワーアレンジメントに載置している。プリザーブドフラワー自体は花の香りを発しないからである。
【００２４】
図２は、本考案の実施の形態に係るプリザーブドフラワー支持構造体１１を介して匂い袋とプリザーブドフラワー２とを取り付けるイメージ図である。プリザーブドフラワー２からは生花１のように匂いは発しないので、香料を封入した匂い袋１０を用い、匂い袋１０に本実施の形態に係るプリザーブドフラワー支持構造体１１を差し込み固定する。プリザーブドフラワー支持構造体１１が固定された状態でフラワーアレンジメントに設置して、プリザーブドフラワー支持構造体１１にプリザーブドフラワー２の花冠を設置する。なお、花冠とは、花弁の集まりを意味している。
【００２５】
図３は、本考案の実施の形態に係るプリザーブドフラワー支持構造体１１の構成を示す二面図である。図３（ａ）は、本実施の形態に係るプリザーブドフラワー支持構造体１１の構成を示す側面図であり、図３（ｂ）は、本実施の形態に係るプリザーブドフラワー支持構造体１１の構成を示す正面図である。
【００２６】
図３に示すように、本実施の形態に係るプリザーブドフラワー支持構造体１１は、プリザーブドフラワー２の花冠を支持する台座部１３と、台座部１３の中央であって、花冠を支持する側の反対側に突出する突起部１４とを備えている。台座部１３は漏斗状あるいは椀状であって、台座部１３の中央から放射状に延びた複数の顎支持体１２で構成されている。
【００２７】
なお、顎支持体１２の数は本実施の形態のような３枚に限定されるものではなく、花冠を支持することが可能な枚数であれば何枚でも良い。また、隣接する顎支持体１２の間の切れ目の先端が略円形にくり抜かれているのは、顎支持体１２の強度を維持するためであり、複数回の使用に耐えるようにするためである。
【００２８】
本実施の形態では、プリザーブドフラワー２の花冠を、椀状の台座部１３に押し付ける形で支持する。このとき、複数の顎支持体１２の弾性力により、花冠を椀状の台座部１３に密着させることができる。これにより、花冠を傷つけることなくフラワーアレンジメントとして装飾することができる。
【００２９】
また、突起部１４は筒状に形成されており、前述した匂い袋１０ごとフラワーアレンジメントに載置する方法以外に、例えば筒状の人工的な茎部を差し込んでフラワーアレンジメントに設置しても良い。図４は、本考案の実施の形態に係るプリザーブドフラワー支持構造体１１を用いたプリザーブドフラワー２の固定方法を示す模式断面図である。
【００３０】
図４に示すように、本実施の形態に係るプリザーブドフラワー支持構造体１１に人工的な筒状の茎部３０を差し込み、茎部３０をフラワーアレンジメント下部の吸水スポンジ４０に差し込んでも良い。これにより、生花と区別することなくフラワーアレンジメントをデザインすることができる。
【００３１】
しかし、茎部３０が筒状であることから、毛細管現象等により吸水スポンジ中の水分が茎部３０を上昇してプリザーブドフラワー２を劣化させるおそれがある。そこで、本実施の形態では、台座部１３と突起部１４との間は水分が通過可能に連通しないように閉止部２０を設けている。
【００３２】
閉止部２０は、プリザーブドフラワー支持構造体１１を成形する時点で一体成形することが好ましい。これにより、水分も空気も台座部１３と突起部１４との間を通過することができないので、そもそも毛細管現象が生じない。したがって、吸水スポンジ４０中の水分が茎部３０を上昇することがなく、プリザーブドフラワー２が劣化するおそれがない。
【００３３】
もちろん、他の用途で用いられる生花用のスタンド等では、台座部１３と突起部１４とが連通している。そのような場合であっても、他の部材、例えばコルク、プラスチック等で形成された閉止部を台座部１３と突起部１４との連通部分に差し込むことにより、本実施の形態と同様の効果を奏することができる。
【００３４】
以上のように本実施の形態によれば、プリザーブドフラワー２を人工的な茎部を用いて生花と同様に設置した場合であってもプリザーブドフラワー２へは生花用の水分が上昇することがないので、水分によってプリザーブドフラワー２が劣化することがない。したがって、プリザーブドフラワー２と生花１とを混在させたフラワーアレンジメントが実現可能となる。
【００３５】
また、このようなフラワーアレンジメントとすることで、生花が先に枯れた場合であっても、プリザーブドフラワーのみを取り出し、匂い袋１０に取り付けることで半永久的に装飾物として使うこともできる。
【００３６】
その他、本考案は上記実施例に限定されるものではなく、本発明の趣旨の範囲内であれば多種の変形、置換等が可能であることは言うまでもない。例えば台座部１３の形状は漏斗状あるいは椀状に限定されるものではなく、プリザーブドフラワー２を載置できる形状であれば特に限定されるものではない。
【符号の説明】
【００３７】
１  生花
２  プリザーブドフラワー
１０  匂い袋
１１  プリザーブドフラワー支持構造体
１２  顎支持体
１３  台座部
１４  突起部
２０  閉止部
３０  茎部
４０  吸水スポンジ
【図１】
0003226221.tif 000003
【図２】
0003226221.tif 000004
【図３】
0003226221.tif 000005
【図４】
0003226221.tif 000006